(57)【要約】【課題】伝送装置に障害が発生した場合に、可能な限り短期間で復旧でき、容易に障害発生箇所の特定を可能にする。【解決手段】伝送装置１００は、それぞれが信号の伝送を行う機能を有する複数の主信号伝送用回路１１３〜１１５と、複数の信号伝送用回路１１３〜１１５それぞれの運用状態を監視し、監視結果が主信号の運用の障害を示す場合には、複数の信号伝送用回路１１３〜１１５にリセットを指示する装置制御・監視ユニット２００と、装置制御・監視ユニット２００からリセットの指示を受け、前記複数の信号伝送用回路のそれぞれの信号伝送用回路を個別にリセットさせる個別ＲＥＳＥＴ回路１１２ａとを備える。【選択図】図１
2007208396.tif 000002
【特許請求の範囲】
【請求項１】
それぞれが信号の伝送を行う機能を有する複数の信号伝送用回路と、
前記複数の信号伝送用回路それぞれの運用状態を監視する監視手段と、
前記監視手段の監視結果が前記信号の運用の障害を示す場合には、前記複数の信号伝送用回路にリセットを指示する制御手段と、
前記制御手段から前記リセットの指示を受け、前記複数の信号伝送用回路のそれぞれの信号伝送用回路を個別にリセットさせる個別リセット手段と、
備えることを特徴とする伝送装置。
【請求項２】
前記監視手段は、前記個別リセット手段が前記複数の信号伝送用回路をリセットさせる都度、当該リセットによる前記運用の障害の復旧の成否を監視することを特徴とする請求項１に記載の伝送装置。
【請求項３】
前記複数の信号伝送用回路を伝送している前記信号を試験する試験手段を備え、
前記監視手段は、前記監視結果と、前記検証手段の検証結果と、前記個別リセット手段による前記伝送障害の復旧の成否との組み合わせに基づいて、前記運用の障害の原因箇所を特定することを特徴とする請求項２に記載の伝送装置。
【請求項４】
前記監視手段および前記制御手段に遠隔接続された遠隔制御手段を備え、
前記監視手段は、前記監視結果を前記遠隔制御手段に送信し、
前記制御手段は、前記遠隔制御手段から受信した指示に応じて前記個別リセット手段にリセットを指示することを特徴とする請求項１〜３のいずれか一つに記載の伝送装置。
【請求項５】
伝送装置を構成する信号伝送に関する機能を有した複数の信号伝送用回路の障害発生時の復旧方法であって、
前記複数の信号伝送用回路それぞれの運用状態を監視する監視工程と、
前記監視工程の監視結果が前記信号の運用の障害を示す場合には、前記複数の信号伝送用回路にリセットを指示する制御工程と、
前記制御工程によりリセットが指示されると、前記複数の信号伝送用回路のそれぞれの信号伝送用回路を個別にリセットさせる個別リセット工程と、
を含むことを特徴とする障害復旧方法。
【発明の詳細な説明】
【技術分野】
【０００１】
この発明は障害が発生した際に自動的に回線を復旧する機能を有した伝送装置および障害復旧方法にかかり、特に、現用・予備回線からなる冗長切り替え機能を備えた構成の障害発生の診断および回復施策を行う伝送装置および障害復旧方法に関する。
【背景技術】
【０００２】
従来、伝送路上に配置され信号の送受信を行う伝送装置には、伝送装置を構成する複数の伝送路ユニットと、これら複数の伝送路ユニットの動作制御や、動作状況を監視する装置制御・監視ユニットと、が備えられている。図７は、従来の伝送路ユニットの構成と装置制御・監視ユニットとの接続を示すブロック図である。図７に示す伝送路ユニット１１００は、伝送装置を構成する複数の伝送路ユニットの一例である。ここでは、伝送路ユニット１１００は、伝送路を流れる光信号を電気信号に変換して受信したのち、再度光信号に変換して送信する機能を備えたユニットである。
【０００３】
伝送路ユニット１１００は、ＲＥＳＥＴ部１１１１と、制御用ＦＰＧＡ（Ｆｉｅｌｄ  Ｐｒｏｇｒａｍｍａｂｌｅ  Ｇａｔｅ  Ａｒｒａｙ）１１１２と、Ｏ／Ｅ変換部１１１３と、主信号終端部１１１４と、Ｅ／Ｏ変換部１１１５とから構成されている。ＲＥＳＥＴ部１１１１は、制御用ＦＰＧＡ１１１２にＲＥＳＥＴ信号を印加する。制御用ＦＰＧＡ１１１２はＲＥＳＥＴ信号を受け付けると、制御回路１１１２ａを介して、Ｏ／Ｅ変換部１１１３、主信号終端部１１１４およびＥ／Ｏ変換部１１１５の動作をリセットさせる。制御用ＦＰＧＡ１１１２は、プログラミング可能なＬＳＩによって構成されており、後述する装置制御・監視ユニット２０００からの指示に応じて主信号伝送用の各回路（Ｏ／Ｅ変換部１１１３、主信号終端部１１１４およびＥ／Ｏ変換部１１１５）の動作を制御する。また、制御用ＦＰＧＡ１１１２は、ＦＰＧＡだけでなく、同じく用途に合わせて設計が可能なＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）が用いられていることもある。
【０００４】
また、上述したように、Ｏ／Ｅ変換部１１１３、主信号終端部１１１４およびＥ／Ｏ変換部１１１５は、主信号伝送用の回路である。主信号は、外部の伝送路もしくは他の伝送路ユニットから伝送路ユニット１１００へ入力される。入力された主信号は、Ｏ／Ｅ変換部１１１３によって光信号から電気信号へ変換される。変換された電気信号は、主信号終端部１１１４によって伝送装置に受信される。同様に、主信号終端部１１１４からは伝送装置から主信号（電気信号）が送信される。Ｅ／Ｏ変換部１１１５は、主信号終端部１１１４から送信された電気信号を光信号へ変換して外部の伝送路もしくは他の伝送路ユニットへ出力する。なお、伝送路ユニット１１００の構成は、伝送装置を構成する伝送路ユニットの一例であり、主信号伝送用回路として他の構成を備えた場合もある。他の構成の場合であっても、伝送路ユニット１１００と同様に後述する装置制御・監視ユニット２０００が接続されている。
【０００５】
図８は、従来の伝送装置の構成を示すブロック図である。伝送装置は、図７に示して説明したような伝送路ユニットを現用回線用の伝送路ユニット１１００と、予備回線用の伝送路ユニット１２００として備えている。また、各伝送路ユニットは、同一の装置制御・監視ユニット２０００が接続されている。伝送装置は、電源投入時に各伝送路ユニットのＲＥＳＥＴ部１１１１，１２１１から、他の機能部（１１１２〜１１１５，１２１２〜１２１５）にＲＥＳＥＴ信号が送出される。制御用ＦＰＧＡ１１１２，１２１２は、ＲＥＳＥＴ信号の受信をトリガにして主信号伝送用回路（１１１３〜１１１５，１２１３〜１２１５）の設定が行われる。主信号伝送用回路（１１１３〜１１１５，１２１３〜１２１５）の設定がすべて完了すると、現用回線用の伝送路ユニット１１００に主信号の伝送が開始される。
【０００６】
また、現用回線用の伝送路ユニット１１００に障害が起こり、主信号が断絶するような事態が発生した場合、装置制御・監視ユニット２０００が断絶を検出し、主信号の伝送を予備回線用の伝送路ユニット１２００に切り替える。切り替え後は、予備回線用の伝送路ユニット１２００を使用して主信号の伝送が行われる。また、伝送路装置内の装置制御・監視ユニット２０００以外にも、回線上の障害を検出する機能を外部に設け、外部の装置からリモート制御によってリセットの実行や、現用回線から予備回線への切り替えを行う技術も開示されている（例えば、下記特許文献１参照。）。
【０００７】
【特許文献１】特開平６−３１８１０７号公報
【発明の開示】
【発明が解決しようとする課題】
【０００８】
しかしながら、上述したような従来の伝送装置では、現用回線に障害が発生し、現用・予備切り替え後、主信号は、予備回線のみを伝送することとなる。したがって、万一予備回線にも障害が発生（２次障害）した場合には、完全に主信号の伝送が停止してしまうという問題があった。
【０００９】
同じく障害発生時、従来の伝送装置の障害を復旧するには、通常カスタマーサービス等の保守員が、伝送装置が配置されている局舎に赴き、障害となった伝送路ユニットの交換等を行っていた。このような方法で復旧する場合、人員の移動が必要となるため交換までに時間を要し、障害の発生時からユニット交換までの間は予備回線のみとなる時間が長くなってしまう。さらに、予備回線のみを使用している時間の間は、冗長構成がとれず、主信号の伝送が停止しやすくなるという問題があった。
【００１０】
また、障害発生時、障害を起こした伝送路ユニットが図７に示した伝送路ユニット１１００のように、主信号伝送用回路（１１１３〜１１１５）など、複数の回路ブロックで構成される場合は、障害の発生箇所の特定に時間を要してしまう。したがって、再発防止のための根本対策を行おうとする際の早期解決への妨げになるという問題があった。
【００１１】
この発明は、上述した従来技術による問題点を解消するため、障害が発生した場合に、可能な限り短期間で復旧できるとともに、容易に障害発生箇所の特定を可能にする伝送装置および障害復旧方法を提供することを目的とする。
【課題を解決するための手段】
【００１２】
上述した課題を解決し、目的を達成するため、この発明の一つの態様にかかる伝送装置は、それぞれが信号の伝送を行う機能を有する複数の信号伝送用回路と、前記複数の信号伝送用回路それぞれの運用状態を監視する監視手段と、前記監視手段の監視結果が前記信号の運用の障害を示す場合には、前記複数の信号伝送用回路にリセットを指示する制御手段と、前記制御手段から前記リセットの指示を受け、前記複数の信号伝送用回路のそれぞれの信号伝送用回路を個別にリセットさせる個別リセット手段と、を備えることを特徴とする。
【００１３】
この発明によれば、監視手段により信号を伝送させる各回路の運用状態を監視することで運用の障害をいち早く検出することができる。また、制御手段は、監視結果を用いて運用の障害が発生した時に複数の信号伝送用回路にリセットを指示することができる。したがって、障害の発生から復旧までに迅速な対応が可能となる。また、個別リセット手段を備えることで複数の信号伝送用回路に個別にリセットさせることができることから、運用の障害の原因となった信号伝送用回路を絞り込むことができる。
【発明の効果】
【００１４】
本発明にかかる伝送装置および障害復旧方法によれば、各回路に個別にリセット制御を行うことができるため、障害が発生した場合に、可能な限り短期間で復旧でき、容易に障害発生箇所を特定することができるという効果を奏する。
【発明を実施するための最良の形態】
【００１５】
以下に添付図面を参照して、この発明にかかる伝送装置および障害復旧方法の好適な実施の形態を詳細に説明する。
【００１６】
（実施の形態１）
図１は、本発明の実施の形態１にかかる伝送路ユニットの構成と装置制御・監視ユニットとの接続を示すブロック図である。実施の形態１では、主信号を伝送する各回路に個別にリセットを行うための個別リセット回路を備えている。
【００１７】
伝送路ユニット１１０は、本発明にかかる伝送装置１００（図２参照）を構成する複数の伝送路ユニットの一例である。この、伝送路ユニット１１０は、伝送路を流れる光信号を電気信号に変換して受信したのち、再度光信号に変換して送信する機能を備えたユニットである。しかし、伝送路ユニットの構成は図１の例に限るものではない。
【００１８】
伝送路ユニット１１０は、ＲＥＳＥＴ部１１１と、制御用ＦＰＧＡ１１２と、Ｏ／Ｅ変換部１１３と、主信号終端部１１４と、Ｅ／Ｏ変換部１１５とから構成されている。なお、ＲＥＳＥＴ部１１１および制御用ＦＰＧＡ１１２は、個別リセット手段として機能する。また、Ｏ／Ｅ変換部１１３、主信号終端部１１４およびＥ／Ｏ変換部１１５は、信号伝送用回路として機能する。
【００１９】
ＲＥＳＥＴ部１１１は、制御用ＦＰＧＡ１１２、Ｏ／Ｅ変換部１１３、主信号終端部１１４およびＥ／Ｏ変換部１１５にＲＥＳＥＴ信号を印加して動作をリセット状態に戻す。
【００２０】
制御用ＦＰＧＡ１１２は、個別ＲＥＳＥＴ回路１１２ａと、制御回路１１２ｂとから構成されている。個別ＲＥＳＥＴ回路１１２ａおよび制御回路１１２ｂに、装置制御・監視ユニット２００から指示が入力されると、指示に応じて主信号伝送用の各回路（Ｏ／Ｅ変換部１１３、主信号終端部１１４およびＥ／Ｏ変換部１１５）の動作を制御する。なお、装置制御・監視ユニット２００は、監視手段および制御手段として機能する。
【００２１】
また、個別ＲＥＳＥＴ回路１１２ａは、ＲＥＳＥＴ部１１１からリセット指示が入力されると、主信号伝送用の各回路に個別にリセットを行う。また、個別ＲＥＳＥＴ回路１１２ａにより個別にリセットされた主信号伝送用の各回路のリセット後の運用状態は、リセットの都度装置制御・監視ユニット２００によって監視されている。なお、制御用ＦＰＧＡ１１２は、ＦＰＧＡだけでなく、同じく用途に合わせて設計が可能なＡＳＩＣが用いられていることもある。
【００２２】
主信号は、外部の伝送路もしくは他の伝送路ユニットから伝送路ユニット１１０へ入力される。伝送路ユニット１１０へ入力された主信号は、Ｏ／Ｅ変換部１１３によって光信号から電気信号へ変換される。Ｏ／Ｅ変換部１１３によって変換された電気信号は、主信号終端部１１４によって受信される。主信号終端部１１４からは外部の伝送路もしくは他の伝送路ユニットへ送信する主信号（電気信号）が出力される。主信号終端部１１４から出力された電気信号は、Ｅ／Ｏ変換部１１５へ入力される。Ｅ／Ｏ変換部１１５は、主信号終端部１１４から入力された電気信号を光信号へ変換して、外部の伝送路もしくは他の伝送路ユニットへ送信される。
【００２３】
図２は、実施の形態１にかかる伝送装置の構成を示すブロック図である。図２に示したように、伝送装置１００は、現用・予備の冗長構成を備えており、同様の機能を有する伝送路ユニット１１０，１２０を現用回線用、予備回線用にそれぞれ配置している。したがって、伝送路ユニット１１０には、現用側の主信号が入力される。一方、伝送路ユニット１２０には予備側の主信号、すなわち予備回線に切り替わった際の主信号が入力される。
【００２４】
さらに、主信号伝送用の各回路である伝送路ユニット１１０，１２０のＯ／Ｅ変換部１１３，１２３、主信号終端部１１４，１２４およびＥ／Ｏ変換部１１５，１２５の詳細な構成について説明する。いずれの回路（１１３〜１１５，１２３〜１２５）も、Ｉ／Ｆ（インターフェイス）部１０１と、ＣＮＴ（コントロール部）１０２と、ＰＭ（パフォーマンスモニタ）１０３とを備えて構成されている。
【００２５】
Ｉ／Ｆ部１０１は、他の回路から伝送された主信号を受信して回路固有の処理を施す。回路固有の処理とは、例えば、Ｏ／Ｅ変換部１１３であれば、光信号から電気信号への変換処理であり、主信号終端部１１４であれば主信号の送受信処理である。また、処理を施した主信号を他の回路へ伝送する。ＣＮＴ１０２は、制御用ＦＰＧＡ１１２から入力された指示にしたがい、Ｉ／Ｆ部１０１の制御を行う。
【００２６】
ＰＭ１０３は、各回路の運用状態を監視する。ＰＭ１０３の具体的な機能としては、信号断、信号品質劣化（ビットエラー）などの項目を監視している。モニタ結果は、ＣＮＴ１０２から制御用ＦＰＧＡ１１２を介して装置制御・監視ユニット２００へ出力される。装置制御・監視ユニット２００は、このＰＭ１０３の監視結果をモニタすることで、障害発生時に障害を検出する。
【００２７】
つぎに、上述した構成の伝送装置１００の通常運用時の処理手順について説明する。伝送装置１００の運用開始時、伝送路ユニット１１０のＲＥＳＥＴ部１１１により、電源電圧の監視を行う。ここで、電源電圧が正常なことを確認すると、ＲＥＳＥＴ部１１１からＲＥＳＥＴ  Ｐｕｌｓｅ信号が制御用ＦＰＧＡ１１２に入力される。
【００２８】
制御用ＦＰＧＡ１１２は、ＲＥＳＥＴ  Ｐｕｌｓｅ信号が入力されると、初期設定が行われる。初期設定が完了すると、現用回線用の制御用ＦＰＧＡ１１２は、主信号伝送用の各回路である伝送路ユニット１１０のＯ／Ｅ変換部１１３、主信号終端部１１４およびＥ／Ｏ変換部１１５に対してＲＥＳＥＴ  Ｐｕｌｓｅ信号を出力する。同時に、予備回線用の制御用ＦＰＧＡ１２２は、主信号伝送用の各回路である伝送路ユニット１２０のＯ／Ｅ変換部１２３、主信号終端部１２４およびＥ／Ｏ変換部１２５に対してＲＥＳＥＴ  Ｐｕｌｓｅ信号を出力する。
【００２９】
主信号伝送用各路（１１３〜１１５，１２３〜１２５）は、ＲＥＳＥＴ  Ｐｕｌｓｅ信号の入力を受けて、初期設定を開始する。初期設定が終了すると、伝送路ユニット１１０は、通常運用に入る。一方、伝送路ユニット１２０は、初期設定が終了する、障害発生時にすぐに現用回線に切り替えられるように待機状態となる。なお、各回路（１１３〜１１５，１２３〜１２５）の初期設定は、各回路の内蔵メモリ（不図示）や監視ユニットからの指示された設定に基づいて行われる。
【００３０】
続いて、上述した手順によって運用が開始された後、すなわち、実際の運用時の監視処理および障害発生時の復旧処理について説明する。図３−１は、実施の形態１にかかる伝送装置の復旧処理の手順を示すフローチャートである。ここでは、伝送路ユニット１１０の復旧処理について説明する。図３−１のフローチャートにおいて、まず、障害を検出したか否かを判断する（ステップＳ３０１）。
【００３１】
ステップＳ３０１により障害を検出した場合は（ステップＳ３０１：Ｙｅｓ）、伝送路ユニット１１０のリセット処理を行う（ステップＳ３０２）。リセット処理とは、装置制御・監視ユニット２００から伝送路ユニット１１０の個別ＲＥＳＥＴ回路１１２ａにリセット指示を行うことで実行される個別リセット処理である。リセット処理を行うことで伝送路ユニット１１０が運用可能状態であるか、運用停止状態であるか否かが判断される。なお、リセット処理の詳細な手順は他のフローチャートを用いて後述する。
【００３２】
ステップＳ３０２のリセット処理が終了すると、続いてリセット処理の結果が運用可能であるか否かを判断する（ステップＳ３０３）。ここで、運用可能と判断された場合は（ステップＳ３０３：Ｙｅｓ）、ステップＳ３０２のリセット処理によって障害が発生していた伝送路ユニット１１０が復旧したことを表す。したがって、つぎに、設定、制御が可能か否かを判断する（ステップＳ３０４）。また、ステップＳ３０３により運用不可能であると判断された場合は（ステップＳ３０３：Ｎｏ）、伝送路ユニット１１０が運用できないことを表し、伝送路ユニット１２０と現用・予備の切り替えを行う（ステップＳ３０９）。
【００３３】
ステップＳ３０４により、設定、制御が不可能な場合は（ステップＳ３０４：Ｎｏ）、伝送路ユニット１１０内部で何らかの障害が発生している場合があるため、リセット処理を行い（ステップＳ３０５）、再度運用可能か否かを判断する（ステップＳ３０６）。
【００３４】
ステップＳ３０６により運用可能と判断された場合は（ステップＳ３０６：Ｙｅｓ）、伝送路ユニット１１０を現用回線として運用する（ステップＳ３０７）。また、ステップＳ３０６により運用不可能と判断された場合は（ステップＳ３０６：Ｎｏ）、伝送路ユニット１１０が運用できないことを表し、伝送路ユニット１２０と現用・予備の切り替えを行う（ステップＳ３０９）。
【００３５】
ステップＳ３０９の処理が終了すると、伝送路ユニット１１０は現用回線として運用中になり、常に、障害を検出したか否かの判断を行う（ステップＳ３０８）。ステップＳ３０８により、障害が検出されなければ（ステップＳ３０８：Ｎｏ）、伝送路ユニット１１０は、正常に運用されていることを表す。
【００３６】
ステップＳ３０８により障害が検出されると（ステップＳ３０８：Ｙｅｓ）、現用・予備を切り替え（ステップＳ３０９）、続いて、伝送路ユニット１１０の冗長構成となる伝送路ユニット１２０が運用可能か否かを判断する（ステップＳ３１０）。ステップＳ３１０の判断は、伝送路ユニット１２０から装置制御・監視ユニット２００へ入力された情報に基づいて判断を行う。例えば、伝送路ユニット１２０の復旧処理について説明している場合は、ステップＳ３１０の処理は、伝送路ユニット１１０が運用可能か否かの判断となる。
【００３７】
ステップＳ３１０により伝送路ユニット１２０が運用可能であると判断された場合は（ステップＳ３１０：Ｙｅｓ）、伝送路ユニット１２０に現用回線として運用させる。この間に、伝送路ユニット１１０では、復旧を行うためリセット処理を行い（ステップＳ３１１）、再度運用可能か否かを判断する（ステップＳ３１２）。
【００３８】
ステップＳ３１２によって運用可能と判断された場合は（ステップＳ３１２：Ｙｅｓ）は、ステップＳ３０８の処理に戻り、現用回線としての運用を行い、その後、現・現用回線に障害が発生した時には再度の切り替えが可能となる。
【００３９】
また、ステップＳ３１０により、伝送路ユニット１２０が運用不可能と判断された場合（ステップＳ３１０：Ｎｏ）、冗長構成を持たせた伝送路ユニット１１０，１２０共に運用できない状態となる。このような場合は、現状維持、すなわち現用・予備ともに運用を停止させたまま待機状態となり（ステップＳ３１３）、一連の復旧処理を終了する。同様に、ステップＳ３１２によりリセット処理後の伝送路ユニット１１０が運用不可能と判断された場合は（ステップＳ３１２：Ｎｏ）、伝送路ユニット１１０運用停止で現状維持状態となり（ステップＳ３１３）、予備回線を持たないまま一連の復旧処理を終了する。
【００４０】
図３−２は、実施の形態１にかかるリセット処理の手順を示すフローチャートである。図３−２のフローチャートにおいて、まず、Ｏ／Ｅ変換部１１３をリセットする（ステップＳ３２１）。つぎに、ステップＳ３２１のリセット後に、装置制御・監視ユニット２００が継続して障害を検出したか否かを判断する（ステップＳ３２２）。
【００４１】
ステップＳ３２２により、装置制御・監視ユニット２００が障害を検出しない場合（ステップＳ３２２：Ｎｏ）、Ｏ／Ｅ変換部１１３が障害箇所であると判断され（ステップＳ３２３）、運用可能状態であると判断して（ステップＳ３２４）一連の処理を終了する。
【００４２】
ステップＳ３２２により引き続き障害を検出した場合（ステップＳ３２２：Ｙｅｓ）、続いて、主信号終端部１１４をリセットする（ステップＳ３２５）。ステップＳ３２５のリセット後にも、ステップＳ３２２と同様に、装置制御・監視ユニット２００が継続して障害を検出したか否かを判断する（ステップＳ３２６）。
【００４３】
ステップＳ３２６により、装置制御・監視ユニット２００が障害を検出しない場合（ステップＳ３２６：Ｎｏ）、主信号終端部１１４が障害箇所であると判断され（ステップＳ３２７）、運用可能状態であると判断して（ステップＳ３２４）一連の処理を終了する。
また、ステップＳ３２６により引き続き障害を検出した場合（ステップＳ３２６：Ｙｅｓ）、続いて、Ｅ／Ｏ変換部１１５をリセットする（ステップＳ３２８）。
【００４４】
ステップＳ３２８のリセット後にも、ステップＳ３２２，Ｓ３２６と同様に、装置制御・監視ユニット２００が継続して障害を検出したか否かを判断する（ステップＳ３２９）。ステップＳ３２９により、装置制御・監視ユニット２００が障害を検出しない場合（ステップＳ３２９：Ｎｏ）、Ｅ／Ｏ変換部１１５が障害箇所であると判断され（ステップＳ３３０）、運用可能状態であると判断して（ステップＳ３２４）一連の処理を終了する。
【００４５】
また、ステップＳ３２９により障害を検出した場合は（ステップＳ３２９：Ｙｅｓ）、運用停止と判断され（ステップＳ３３１）、一連の処理を終了する。
【００４６】
以上、説明した実施の形態１によれば、障害の発生原因が、伝送装置１００内の各構成の装置的な動作の不安定に起因する場合（例えば、電源電圧変動、外来ノイズ等の原因によるラッチアップ等）、または、伝送される主信号のフレームの不安定に起因する場合（例えば、伝送容量の増加、バグなどの原因による信号停止等）に、リセット処理を行うことで、障害を確実に復旧させることができる。
【００４７】
また、例えば復旧作業においてＯ／Ｅ変換部１１３にＲＥＳＥＴを印加し、ＰＭ１０３によりＥ／Ｏ変換部１１５のＰＭ１０３の監視結果に問題が無かった場合、Ｏ／Ｅ変換部１１３が原因と特定するといったような、切分調査が可能となり、後の障害調査を迅速に完了させることができる。
【００４８】
また、予備回線に切り替え後、個別リセットによりより迅速に障害の発生した現用回線用の伝送路ユニット１１０を復旧させることで、予備側でも障害が発生した場合の主信号断という最悪の事態を回避することができる。したがって、従来のように保守員が現地に到達するよりも、迅速に対応することが可能となる。
【００４９】
（実施の形態２）
図４は、実施の形態２にかかる伝送装置の構成を示すブロック図である。実施の形態２にかかる伝送装置３００では、実施の形態１の構成に新たに障害発生の詳細な内容を把握するためにテストユニット４００を設けている。伝送装置３００は、テストユニット４００以外実施の形態１と同様の構成である。したがって、テストユニット４００以外の構成については、実施の形態１（図１参照）と同一の符号を附して説明を省略する。
【００５０】
テストユニット４００は、ＥＲＲＯＲ  ＤＥＴ４１０と、ＪＵＤＧＥ４２０と、ＰＰＧ（Ｐｕｌｓｅ  Ｐａｔｔｅｒｎ  Ｇｅｎｅｒａｔｏｒ）４３０とから構成される。ＥＲＲＯＲ  ＤＥＴ４１０は、ＰＰＧ４３０から入力された主信号と同じ信号パターンが正常に動作できたかを検出する。ＥＲＲＯＲ  ＤＥＴ４１０による検出結果は、ＪＵＤＧＥ４２０に入力される。ＪＵＤＧＥ４２０は、ＥＲＲＯＲ  ＤＥＴ４１０からの検出結果により、伝送路ユニット１１０，１２０が正常に動作しているか否かを判定する。ＪＵＤＧＥ４２０による判定結果は、装置制御・監視ユニット２００へ入力される。ＰＰＧ４３０は、主信号と同等の信号パターンを生成する。生成された信号パターンは、実際に主信号と同様に伝送路ユニット１１０，１２０を伝送させたのち、ＥＲＲＯＲ  ＤＥＴ４１０に入力される。
【００５１】
また、上述したようなテストユニット４００は、伝送装置３００の実際の運用が開始され、主信号の監視が行われることではじめて機能する。したがって、通常運用時の処理手順は、実施の形態１で説明した伝送装置１００の処理手順と全く同じ処理手順が実行されるため、ここでは説明を省略する。
【００５２】
続いて、実施の形態２における復旧処理の手順を説明する。実施の形態２の復旧処理は、図３−１を用いて説明した実施の形態１の復旧処理の手順のうち、リセット処理にテストユニット４００による自己診断の手順を追加した処理となる。したがって、リセット処理以外の手順の説明については図３−１を参照することで省略し、リセット処理の手順について以下に図５を用いて説明する。
【００５３】
図５は、実施の形態２にかかるリセット処理の手順を示すフローチャートである。図５のフローチャートにおいて、まず、Ｏ／Ｅ変換部１１３をリセットする（ステップＳ５０１）。つぎに、ステップＳ５０１のリセット後に、装置制御・監視ユニット２００が継続して障害を検出したか否かを判断する（ステップＳ５０２）。
【００５４】
ステップＳ５０２により、装置制御・監視ユニット２００が障害を検出しない場合（ステップＳ５０２：Ｎｏ）、Ｏ／Ｅ変換部１１３が障害箇所であると判断され（ステップＳ５０３）、続いて、テストユニット４００によって交渉内容に対する自己診断を行う（ステップＳ５０４）。その後、運用可能状態と判断され（ステップＳ５０５）、一連の処理を終了する。
【００５５】
ここで、テストユニット４００の自己診断について説明する。テストユニット４００は、主信号伝送用回路（１１３〜１１５）を伝送している主信号を試験する試験手段として機能する。ＰＰＧ４３０は、主信号と同じ波形の試験信号を生成し、試験信号を主信号伝送用回路（１１３〜１１５）に入力する生成手段として機能する。また、ＥＲＲＯＲ  ＤＥＴ４１０は、ＰＰＧ４３０によって生成された試験信号が入力された主信号伝送用回路（１１３〜１１５）の動作を検出する検出手段として機能する。また、ＪＵＤＧＥ４２０は、ＥＲＲＯＲ  ＤＥＴ４１０によって検出された動作に基づいて試験信号によって主信号伝送用回路（１１３〜１１５）が正常に動作する否かを判定する判定手段として機能する。以上説明したような一連の処理によって自己診断がおこなわれる。
【００５６】
ステップＳ５０２により引き続き障害を検出した場合（ステップＳ５０２：Ｙｅｓ）、続いて、主信号終端部１１４をリセットする（ステップＳ５０６）。ステップＳ５０６のリセット後にも、ステップＳ５０２と同様に、装置制御・監視ユニット２００が継続して障害を検出したか否かを判断する（ステップＳ５０７）。
【００５７】
ステップＳ５０７により、装置制御・監視ユニット２００が障害を検出しない場合（ステップＳ５０７：Ｎｏ）、主信号終端部１１４が障害箇所であると判断され（ステップＳ５０８）、続いて、テストユニット４００によって交渉内容に対する自己診断を行う（ステップＳ５０４）。その後、運用可能状態であると判断して（ステップＳ５０５）一連の処理を終了する。
【００５８】
また、ステップＳ５０７により引き続き障害を検出した場合（ステップＳ５０７：Ｙｅｓ）、続いて、Ｅ／Ｏ変換部１１５をリセットする（ステップＳ５０９）。ステップＳ５０９のリセット後にも、ステップＳ５０２，Ｓ５０７と同様に、装置制御・監視ユニット２００が継続して障害を検出したか否かを判断する（ステップＳ５１０）。ステップＳ５１０により、装置制御・監視ユニット２００が障害を検出しない場合（ステップＳ５１０：Ｎｏ）、Ｅ／Ｏ変換部１１５が障害箇所であると判断され（ステップＳ５１１）、続いて、テストユニット４００によって交渉内容に対する自己診断を行う（ステップＳ５０４）。その後、運用可能状態であると判断して（ステップＳ５０５）一連の処理を終了する。
【００５９】
また、ステップＳ５１０により障害を検出した場合は（ステップＳ５１０：Ｙｅｓ）、運用停止と判断され（ステップＳ５１２）、一連の処理を終了する。
【００６０】
以上説明したように、実施の形態２によれば、実施の形態１と同様に、障害の発生原因が、伝送装置１００内の各構成の装置的な動作の不安定に起因する場合、または、伝送される主信号のフレームの不安定に起因する場合に、リセット処理を行うことで、障害を確実に復旧させることができ、同時に迅速な障害調査や、素早い復旧が可能となる。
【００６１】
さらに、実施の形態２では、テストユニット４００を備えていることから、個別ＲＥＳＥＴにより復旧したと考えられる各伝送路ユニット１１０，１２０に対し詳細な評価が可能となる。具体的には、ＰＰＧ４３０から各種Ｔｅｓｔ  Ｐａｔｔｅｒｎ信号を入力し、伝送路ユニット１１０，１２０を通過したＴｅｓｔ  Ｐａｔｔｅｒｎ信号をＥＲＲＯＲ  ＤＥＴ４１０で受信する。Ｔｅｓｔ  Ｐａｔｔｅｒｎ信号が問題なく動作している場合には、ＪＵＤＧＥ部４２０から直接、装置制御・監視ユニット２００に結果を送信する。装置制御・監視ユニット２００側では各回路部のＰＭ１０２も監視し、総合的なチェックを行うことができる。
【００６２】
すなわち、実施の形態２では、テストユニット４００を追加することで、障害が発生し、伝送装置１００内部の個別リセットにより復旧された場合の故障原因となった構成の故障内容を詳細に検出することができる。したがって、検出した詳細な故障内容を評価することで、本発明にかかる伝送装置１００を用いたシステムに適した故障対策を施すことが可能となる。
【００６３】
（リモートコントロールを用いた個別リセット処理）
また、実施の形態１，２における装置制御・監視ユニット２００は、遠隔地からのリモート制御が可能なようにＬＡＮ（Ｌｏｃａｌ  Ａｒｅａ  Ｎｅｔｗｏｒｋ）やＤＣＣ（Ｄａｔａ  Ｃｏｍｍｕｎｉｃａｔｉｏｎ  Ｃｈａｎｎｅｌｓ）等のアクセスポイントを有した構成でもよい。装置制御・監視ユニット２００にアクセスポイントを備えた場合、実施の形態１，２で説明したような伝送装置１００による自律的な復旧処理に加えて、伝送装置１００内部処理とは別に、点検等で意図的に個別にリセットを行いたい場合などに個別リセットを制御することができる。また、万が一、伝送装置１００が復旧処理中にエラーを起こし、フリーズ状態もしくは、暴走状態に陥ってしまった場合にも対処することができる。
【００６４】
（伝送システム）
つぎに、本発明にかかる伝送装置を用いた伝送システムの一例を説明する。図６は、本発明にかかる伝送装置を用いた伝送システムの構成を示す説明図である。伝送システム６００は、本発明にかかる伝送装置６１０〜６４０を接続した光リング構成である。各伝送装置６１０〜６４０は、伝送装置６１０に示したように、現用回線用の伝送路ユニット１１０と、予備回線用の伝送路ユニット１２０を備えた冗長構成を有している。
【００６５】
さらに、伝送装置６１０の内部にはスイッチ部（ＳＷ）６１１を備えることで、新たな伝送装置６１１ａ〜６１１ｃを増設することもできる。また、伝送装置６１０は、情報転送網（ＤＣＮ：Ｄｉｇｉｔａｌ  Ｃｏｍｍｕｎｉｃａｔｉｏｎ  Ｎｅｔｗｏｒｋ）６５０と接続してもよい。情報転送網６５０と接続した場合、情報転送網６５０を経由してリモートコントロールを行う際の監視制御用端末６５０を接続してもよい。また、伝送システム６００を用いて伝送する主信号として、具体的にはＥｔｈｅｒｎｅｔ（登録商標）／ＳＤＨ（Ｓｙｎｃｈｒｏｎｏｕｓ  Ｄｉｇｉｔａｌ  Ｈｉｅｒａｒｃｈｙ）などの規格に準拠した光信号を用いる。
【００６６】
また、上述した実施の形態１，２は、現用・予備からなる冗長構成を備えている伝送装置について説明したが、冗長機能を有さない伝送装置であっても、本発明の構成および復旧方法は有効である。近年、伝送装置の障害発生時、より迅速な障害に対応した復旧処理が求められ、その方策が伝送装置の品質指針に寄与することとなり、広くベンダーに要求されている。冗長機能を有さない伝送装置の場合も、図１に示したような構成を備えて、回路別にリセット制御を行うことで、従来の伝送装置と比較して迅速な回線復旧が可能となる。
【００６７】
（付記１）それぞれが信号の伝送を行う機能を有する複数の信号伝送用回路と、
前記複数の信号伝送用回路それぞれの運用状態を監視する監視手段と、
前記監視手段の監視結果が前記信号の運用の障害を示す場合には、前記複数の信号伝送用回路にリセットを指示する制御手段と、
前記制御手段から前記リセットの指示を受け、前記複数の信号伝送用回路のそれぞれの信号伝送用回路を個別にリセットさせる個別リセット手段と、
備えることを特徴とする伝送装置。
【００６８】
（付記２）前記個別リセット手段は、前記複数の信号伝送用回路を前記信号が伝送される順にリセットさせることを特徴とする付記１に記載の伝送装置。
【００６９】
（付記３）前記監視手段は、前記個別リセット手段が前記複数の信号伝送用回路をリセットさせる都度、当該リセットによる前記運用の障害の復旧の成否を監視することを特徴とする付記１または２に記載の伝送装置。
【００７０】
（付記４）前記複数の信号伝送用回路を伝送している前記信号を試験する試験手段を備え、
前記監視手段は、前記監視結果と、前記検証手段の検証結果と、前記個別リセット手段による前記伝送障害の復旧の成否との組み合わせに基づいて、前記運用の障害の原因箇所を特定することを特徴とする付記３に記載の伝送装置。
【００７１】
（付記５）前記試験手段は、
前記信号と同じ波形の試験信号を生成し、当該試験信号を前記複数の信号伝送用回路に入力する生成手段と、
前記信号生成手段による前記試験信号が入力された前記複数の信号伝送用回路の動作を検出する検出手段と、
前記検出手段によって検出された前記動作に基づいて前記試験信号によって前記複数の信号伝送用回路が正常に動作する否かを判定する判定手段と、
を備えることを特徴とする付記４に記載の伝送装置。
【００７２】
（付記６）前記複数の信号伝送用回路は、現用と、予備との２組を備え、
前記監視手段は、前記監視結果や前記個別リセット手段による前記伝送障害の復旧の成否に応じて前記２組の前記複数の信号伝送用回路の現用と予備とを切り替えることを特徴とする付記３〜５のいずれか一つに記載の伝送装置。
【００７３】
（付記７）前記監視手段および前記制御手段に遠隔接続された遠隔制御手段を備え、
前記監視手段は、前記監視結果を前記遠隔制御手段に送信し、
前記制御手段は、前記遠隔制御手段から受信した指示に応じて前記個別リセット手段にリセットを指示することを特徴とする付記１〜６いずれか一つに記載の伝送装置。
【００７４】
（付記８）伝送装置を構成する信号伝送に関する機能を有した複数の信号伝送用回路の障害発生時の復旧方法であって、
前記複数の信号伝送用回路それぞれの運用状態を監視する監視工程と、
前記監視工程の監視結果が前記信号の運用の障害を示す場合には、前記複数の信号伝送用回路にリセットを指示する制御工程と、
前記制御工程によりリセットが指示されると、前記複数の信号伝送用回路のそれぞれの信号伝送用回路を個別にリセットさせる個別リセット工程と、
を含むことを特徴とする障害復旧方法。
【産業上の利用可能性】
【００７５】
以上のように、本発明にかかる伝送装置および障害復旧方法は、現用・予備による冗長構成を有した伝送装置に有用であり、特に、複数の回路を備えた複雑な構成を有した伝送装置に適している。
【図面の簡単な説明】
【００７６】
【図１】本発明の実施の形態１にかかる伝送路ユニットの構成と装置制御・監視ユニットとの接続を示すブロック図である。
【図２】実施の形態１にかかる伝送装置の構成を示すブロック図である。
【図３−１】実施の形態１にかかる伝送装置の復旧処理の手順を示すフローチャートである。
【図３−２】実施の形態１にかかるリセット処理の手順を示すフローチャートである。
【図４】実施の形態２にかかる伝送装置の構成を示すブロック図である。
【図５】実施の形態２にかかるリセット処理の手順を示すフローチャートである。
【図６】本発明にかかる伝送装置を用いた伝送システムの構成を示す説明図である。
【図７】従来の伝送路ユニットの構成と装置制御・監視ユニットとの接続を示すブロック図である。
【図８】従来の伝送装置の構成を示すブロック図である。
【符号の説明】
【００７７】
１００，３００，６１０，６２０，６３０，６４０  伝送装置
１０１  Ｉ／Ｆ（インターフェイス）部
１０２  ＣＮＴ（コントローラ）
１０３  ＰＭ（パフォーマンスモニタ）
１１０，１２０  伝送路ユニット
１１１，１２１  ＲＥＳＥＴ部
１１２，１２２  制御用ＦＰＧＡ
１１２ａ  個別ＲＥＳＥＴ回路
１１２ｂ  制御回路
１１３，１２３  Ｏ／Ｅ変換部
１１４，１２４  主信号終端部
１１５，１２５  Ｅ／Ｏ変換部
２００  装置制御・監視ユニット
４００  テストユニット
４１０  ＥＲＲＯＲ  ＤＥＴ
４２０  ＪＵＤＧＥ
４３０  ＰＰＧ
６５０  情報転送網
６６０  監視制御用端末
【図１】
2007208396.tif 000003
【図２】
2007208396.tif 000004
【図３−１】
2007208396.tif 000005
【図３−２】
2007208396.tif 000006
【図４】
2007208396.tif 000007
【図５】
2007208396.tif 000008
【図６】
2007208396.tif 000009
【図７】
2007208396.tif 000010
【図８】
2007208396.tif 000011